(57)【要約】【課題】カシメリングが付属しており、接栓に組付けて円滑にカシメ作業に移行できるように構成された同軸接栓を提供すること。【解決手段】先端側に同軸ケーブル１０の絶縁層１２と編組との間に差し込まれるためのガイド部２１ａが、反ガイド部側に前記編組の折返し端が当接する突き当て部２１ｂおよび接続ナット取付け部２１ｃが設けられた円筒状部材２１と、前記円筒状部材の前記接続ナット取付け部に回動自在に取付けられる接続ナット２３と、前記接続ナットの外形よりも大きな内径の穴２２ｄを有し、前記円筒状部材の前記ガイド部に相当する位置に、前記同軸ケーブルの編組１３および外被１４を介挿した状態で嵌装され、前記円筒状部材と前記同軸ケーブルとを固定するカシメリング２２と、柔軟な材料により形成され、前記円筒状部材の接続ナット取付け部に回動自在に嵌装されるリング部２１ｃ、このリング部から延び、先端に前記カシメリングが保持されるカシメリング保持部材２４とをそなえた同軸ケーブル用接栓。【選択図】　図１
0003098950.tif 000002
【実用新案登録請求の範囲】
【請求項１】
先端側に同軸ケーブルの絶縁層と編組との間に差し込まれるためのガイド部が、反ガイド部側に前記編組の折返し端が当接する突き当て部および接続ナット取付け部が設けられた円筒状部材と、
前記円筒状部材の前記接続ナット取付け部に回動自在に取付けられる接続ナットと、
前記円筒状部材の前記ガイド部に相当する位置に、前記同軸ケーブルの編組および外被を介挿した状態で嵌装され、前記円筒状部材と前記同軸ケーブルとを固定するカシメリングと、
柔軟な材料により形成され、前記円筒状部材の接続ナット取付け部に回動自在に嵌装されるリング部、このリング部から延び、先端に前記カシメリングが保持されるカシメリング保持部材と
をそなえた同軸ケーブル用接栓。
【請求項２】
請求項１記載の同軸ケーブル用接栓において、
前記カシメリングは、前記円筒状部材の前記ガイド部に嵌装されるための穴とは別の小穴を有し、
前記カシメリング保持部材は、前記カシメリングの前記小穴の径よりも若干大きくなるように先端が拡幅されている、
同軸ケーブル用接栓。
【請求項３】
請求項２記載の同軸ケーブル用接栓において、
前記カシメリング保持部材は、先端が矢印形状に形成された同軸ケーブル接栓。
【考案の詳細な説明】
【０００１】
【考案が属する技術分野】
本考案は、同軸ケーブル接栓に係り、とくにカシメリングを用いて同軸ケーブルと固定される同軸ケーブル接栓に関する。
【０００２】
【従来の技術】
同軸ケーブルは接栓を用いて接続され、その接栓は、例えば図６に示すように構成されている。これは、同軸ケーブル１０の端部に、円筒状部材２１、カシメリング２２および接続ナット２３を有する接栓２０が組み付けられる。
【０００３】
図７は、接栓２０が同軸ケーブル１０に固定される内部構造を示したものである。同軸ケーブル１０の芯線１１は接栓２０の内部導体を兼ねるものであり、同軸ケーブル１０の絶縁層１２と編組１３との間に、円筒状部材２１が介挿された状態で、外被１４の上から編組１３とともにカシメリング２２によって締め付けられて、接栓２０が同軸ケーブル１０に固定される。
【０００４】
図８は、カシメリング２２の正面形状を示したものである。このカシメリング２２は、全体形状がほぼ円形であって、その一部に変形部２２ａ、およびこの変形部２２ａを挟む両側に工具掛け用の段部２２ｂが設けられている。
【０００５】
【考案が解決しようとする課題】
このようにカシメリング２２を用いた固定構造では、かしめ作業時に作業員が接栓とは別部材であるカシメリング２２を取り出して接栓に装着し、カシメ作業を行う。この場合、カシメリング２２は作業員がポケット等に保管しておき、作業時に取り出して同軸ケーブルに通しておき、カシメ作業を行うことになる。
【０００６】
このため、取り出す手間が必要である上に、同軸ケーブルに通し忘れることもあり、作業性を損なっている。この作業性の悪さは能率向上を阻害するだけでなく、工事の評価にも繋がる重要な問題である。
【０００７】
本考案は、上述の点を考慮してなされたもので、カシメリングが付属しており、接栓に組付けて円滑にカシメ作業に移行できるように構成された同軸接栓を提供することを目的とする。
【０００８】
【課題を解決するための手段】
上記目的達成のため、本考案では、
先端側に同軸ケーブルの絶縁層と編組との間に差し込まれるためのガイド部が、反ガイド部側に前記編組の折返し端が当接する突き当て部および接続ナット取付け部が設けられた円筒状部材と、
前記円筒状部材の前記接続ナット取付け部に回動自在に取付けられる接続ナットと、
前記接続ナットの外形よりも大きな内径の穴を有し、前記円筒状部材の前記ガイド部に相当する位置に、前記同軸ケーブルの編組および外被を介挿した状態で嵌装され、前記円筒状部材と前記同軸ケーブルとを固定するカシメリングと、
柔軟な材料により形成され、前記円筒状部材の接続ナット取付け部に回動自在に嵌装されるリング部、このリング部から延び、先端に前記カシメリングが保持されるカシメリング保持部材と
をそなえた同軸ケーブル用接栓、
を提供するものである。
【０００９】
【考案の実施の形態】
図１は、本考案の一実施例の構成を示す一部断面図である。この図１は、接栓２０に同軸ケーブル１０を接続する前の状態を示したものである。接栓２０は、円筒状のガイド部２１に接続ナット２３が回動自在な状態にかしめ固定されており、ガイド部２１の接続ナット２３を固定するための部分に、カシメリング２２がカシメリング保持部材２４によって保持されている。
【００１０】
ガイド部２１は、円筒状部材２１ａの先端（図示下端）が縦断面くさび状に形成されており、同軸ケーブル１０の絶縁層１２と編組１３との間に進入し易い形となっている。そして、円筒状部材２１ａの他端寄り位置には先端に向かって折り返された形状の突き当て部２１ｂが形成されており、同軸ケーブル１０の編組１３を介して外被１４の端部が当接する。
【００１１】
さらに、円筒状部材２１ａの基端（図示上端）は、円筒状部材２１ａが延長された形状に形成されており、接続ナット２３およびカシメリング保持部材２４を組み合わせた上で、端部が拡開されて接続ナット２３を回動自在に保持する。カシメリング保持部材２４には、先端にカシメリング２２が予め差し込まれているか事後的に差し込まれて図示の状態となる。
【００１２】
図２は、図１に側面図として示したカシメリング２２を正面図として示したものである。カシメリング２２には、図示の上、下に２つの穴が明けられており、ほぼ中央にある大径の穴２２ｄに接栓２０の円筒状部材２１ａが差し込まれ、図示上部にある小径の小穴２２ｃにカシメリング保持部材２４の先端が差し込まれる。
【００１３】
カシメリング２２は、ペンチなどの工具を用いて変形させることにより接栓２０の円筒状部材２１ａを締め付けるものである。そして、例えばペンチの先端を掛けて力を作用させるために一対の段部２２ｂが設けられており、これにより一対の段部２２ｂ同士が接近するように変形させるべく変形部２２ａが設けられている。
【００１４】
図３は、ガイド部２１、接続ナット２３およびカシメリング保持部材２４の組み立て直前の位置関係および姿勢を示したものである。これら各要素は、カシメリング保持部材２４を挟んで相互に同心的に配置され、ガイド部２１の接続ナット取付け部２１ｃを接続ナット２３内で接続ナット２３が外れることなく回動自在な程度に拡開することにより、接続ナット２３を接続ナット取付け部２１ｃに固定する。
【００１５】
これら各要素を組み上げた状態では、カシメリング保持部材２４は、基端のリング部２４ｃを中心に回動することができ、中央部２４ｂは屈曲自在であって、矢印状に形成された先端２４ａは図示しないカシメリング２２の小径の穴２２ｃに差し込まれて、カシメリング２２を保持する。
【００１６】
図４（ａ），（ｂ）は、カシメリング保持部材２４の構造を示す正面図および側面図である。これら両図から分るように、カシメリング保持部材２４は、可撓性の樹脂材料を用いて、いわば時計の針形状に形成されている。
【００１７】
そして、カシメリング保持部材２４の機能は、カシメリング２２を保持すること、リング部２４ｃを中心にして回動自在であること、およびとくに中央部２４ｂが屈曲性を持つことである。
【００１８】
図５は、同軸ケーブル１０に対して接栓２０を組み付けて、カシメリング２２により同軸ケーブル１０を接栓２０の円筒状部材２１に固定した状態を示している。
【００１９】
同軸ケーブル１０の芯線１１が接続ナット２３の中心位置に配され、絶縁層１２と編組１３との間に円筒状部材２１のガイド部２１ａが差し込まれ、外被１４の外側からカシメリング２２により円筒状部材２１ａに対して締め付けられる。
【００２０】
このとき、カシメリング２２は、カシメリング保持部材２４によって保持されたまま、接続ナット２３を通して円筒状部材２１ａの外周位置まで引き込まれた上で、カシメリング２２の締め付けによる固定が行われる。
【００２１】
（変形例）
上記実施例におけるカシメリング保持部材２４は、伸縮性のある材料を用いて構成することにより、カシメリング２２の保持が容易化できる。
【００２２】
【考案の効果】
本考案は上述のように、円筒状部材に対してカシメリングをカシメリング保持部材によって保持しておくため、カシメリングは常に円筒状部材とともにあり、取付け忘れなどを生じることがなく、同軸ケーブルへの接栓取付け作業の作業性が大幅に向上する。
【図面の簡単な説明】
【図１】本考案の一実施例の構成を示す説明図。
【図２】図２（ａ），（ｂ）は、図１の実施例に用いるカシメリングの形状を示す正面図および側面図。
【図３】図１の実施例における円筒状部材、接続ナットおよびカシメリング保持部材の関係を示す分解斜視図。
【図４】図（ａ），（ｂ）は、図１の実施例におけるカシメリング保持部材２４の構造を示す正面図および側面図。
【図５】図１の実施例の組立て状態を示す断面図。
【図６】従来の接栓を同軸ケーブルに組み付けた状態を示す斜視図。
【図７】図６の状態を示す縦断面図。
【図８】従来のカシメリングを示す正面図。
【符号の説明】
１０　同軸ケーブル、１１　芯線、１２　絶縁層、１３　編組、
１４　外被、２０　接栓、２１　円筒状部材、２１ａ　ガイド部、
２１ｂ　突き当て部、２１ｃ　接続ナット取付け部、
２２　カシメリング、２２ａ　変形部、２２ｂ　段部、２２ｃ　小穴、
２３　接続ナット、２４　カシメリング保持部材、２４ａ　先端、
２４ｂ　中央部、２４ｃ　リング部。
【図１】
0003098950.tif 000003
【図２】
0003098950.tif 000004
【図３】
0003098950.tif 000005
【図４】
0003098950.tif 000006
【図５】
0003098950.tif 000007
【図６】
0003098950.tif 000008
【図７】
0003098950.tif 000009
【図８】
0003098950.tif 000010